(57)【特許請求の範囲】
【請求項１】
第１の用紙搬送機構と、上記第１の用紙搬送機構により搬送される用紙の折り曲げ位置にナイフを用紙搬送方向に対して平行に突き出す折りナイフ機構と、上記折りナイフ機構により折られた用紙を一対の折りローラにより挟圧する折りローラ機構とを備えてなるナイフ折り機であって、
第２の用紙搬送機構と用紙ストッパを備えた交換ユニットを備え、上記第１の用紙搬送機構を取り外して上記第２の用紙搬送機構が上記第１の用紙搬送機構の用紙搬送方向と直行する方向に用紙を搬送するように上記交換ユニットを配置することにより、上記第２の用紙搬送機構によって上記第１の用紙搬送機構による用紙の搬送方向と直角方向に用紙を搬送し、上記用紙ストッパにより止められた用紙に上記折りナイフ機構のナイフを用紙搬送方向に対して直角方向に突き出すことを特徴とするナイフ折り機。
【発明の詳細な説明】
【技術分野】
【０００１】
本発明は、一対の折りローラとナイフを用いて用紙を折るナイフ折り機に関し、特に、直角折りと平行折りとを切り替えられるナイフ折り機に関する。
【背景技術】
【０００２】
用紙を搬送する一連の搬送過程で、搬送方向と同方向に折り曲げ、ついで搬送方向と直角方向に折り曲げる折り曲げ部を配置した用紙折り機がある。組み合わされたバックル式・ナイフ式の用紙折り機、いわゆる組み合わせ型用紙折り機では、平行折りは第１の折りステーションでバックル式の原理で折り畳まれるのに対して、これに続く直角折りは、垂直方向に作動する折りナイフによって行われる。そのために、折り畳まれた用紙は平行折りの出口部から、直角折りステーションへと搬送ベルトによってスリップしないように運ばれる（例えば、特許文献１参照）。
【先行技術文献】
【特許文献】
【０００３】
【特許文献１】特開２００８−１２７２０８号公報
【発明の概要】
【発明が解決しようとする課題】
【０００４】
上記のように、通常、ナイフ折り機はバックル折り機の直後に設置されて使用されるが、図３（ａ）に示すように、用紙搬送方向に対して平行にナイフを構成して直前のバックル折りと直角方向にナイフ折りを形成する直角折りと、図３（ｂ）に示すように、用紙搬送方向に対して平行にナイフを構成して直前のバックル折りと平行な方向にナイフ折りを形成する平行折りとがある。
【０００５】
従来、上記２種類の折りを切り替えて行う場合には、ユーザは直角折りを行う「直角ナイフ折り機」と平行折りを行う「平行ナイフ折り機」の二つの機械を設置し、折りの種類が変わる度に２種類の機械を接続しなおす必要があり、多額の装置費用が生じるととともに、直角折りと平行折りの切り替えに手間がかかる、という問題があった。
【０００６】
本発明は、上記の問題に鑑みてなされたもので、直角ナイフ折りと平行ナイフ折りとを１つの装置内で用途に応じて簡単に切り替えて使用することができるナイフ折り機を提供することを目的とする。
【課題を解決するための手段】
【０００７】
請求項１に係る発明のナイフ折り機は、第１の用紙搬送機構と、上記第１の用紙搬送機構により搬送される用紙の折り曲げ位置にナイフを用紙搬送方向に対して平行に突き出す折りナイフ機構と、上記折りナイフ機構により折られた用紙を一対の折りローラにより挟圧する折りローラ機構とを備えてなるナイフ折り機であって、第２の用紙搬送機構と用紙ストッパを備えた交換ユニットを備え、上記第１の用紙搬送機構を取り外して上記第２の用紙搬送機構が上記第１の用紙搬送機構の用紙搬送方向と直行する方向に用紙を搬送するように上記交換ユニットを配置することにより、上記第２の用紙搬送機構によって上記第１の用紙搬送機構による用紙の搬送方向と直角方向に用紙を搬送し、上記用紙ストッパにより止められた用紙に上記折りナイフ機構のナイフを用紙搬送方向に対して直角方向に突き出すことを特徴とする。
【発明の効果】
【０００９】
請求項１に係る発明のナイフ折り機によれば、第１の用紙搬送機構と交換ユニットを取り換えることにより、交換ユニットが備えている第２の用紙搬送機構によって第１の用紙搬送機構による用紙の搬送方向と直角方向に用紙を搬送することができ、折りナイフ機構や折りローラ機構等はそのままで用紙の直角折りと平行折りを切り替えられるので、「直角ナイフ折り機」と「平行ナイフ折り機」の二つの機械を設置する必要がなく、用紙の直角折りと平行折りとを１つの装置内で用途に応じて簡単に切り替えて使用することができる。
【００１０】
また、請求項１に係る発明のナイフ折り機によれば、交換ユニットが用紙ストッパを備えており、交換ユニットが備えている第２の用紙搬送機構により搬送される用紙を所定の位置で停止させることができるので、用紙の折り位置に確実にナイフを突き出すことができる。
【図面の簡単な説明】
【００１１】
【図１】本発明のナイフ折り機を備えた処理機の概略構成を示す図である。
【図２】本発明のナイフ折り機に交換ユニットをセットした状態を示す図である。
【図３】直角折りと平行折りを説明するための図である。
【実施例】
【００１２】
以下、本発明に係るナイフ折り機の実施例について図により説明する。
図１は、ナイフ折り機を備えた処理機の概略を示す斜視図であり、１は前処理機、２は用紙、３はナイフ折り機、４はナイフ、５ａ、５ｂは一対の折りローラ、６ａ、６ｂは用紙２を搬送する搬送ベルト、７は基台、８ａ、８ｂは基台７に固定されたベルト支持軸であり、ナイフ４を備えた折りナイフ機構、一対の折りローラ５ａ、５ｂを備えた折りローラ機構、搬送ベルト６ａ、６ｂを備えた用紙搬送機構によりナイフ折り機３が構成されている。
【００１３】
前処理機１はバックル折り等の前処理を行うものであり、この前処理機１から搬出された用紙２がナイフ折り機３に搬送される。ナイフ４は往復動機構（図示せず）により、上下方向に移動可能となっている。また、一対の折りローラ５ａ、５ｂは駆動機構（図示せず）により互いに逆方向に回転する。搬送ベルト６ａ、６ｂは基台７に固定されたベルト支持軸８ａ、８ｂに取り付けられたプーリ（図示せず）に掛け渡され、駆動装置（図示せず）により図示矢印方向に移動する。なお、図示を省略しているが、搬送ベルト６ａ、６ｂの上部にも搬送ベルトがあり、用紙は上下の搬送ベルトに挟まれて搬送される。
そして、基台７が取り付けられた機械本体にナイフ４の駆動機構や折りローラ５ａ、５ｂの駆動機構が固定されている。
【００１４】
以下、図１のナイフ折り機３で用紙搬送方向に対して平行にナイフを構成して直角折りを行う場合の作用について説明する。
一対の折りローラ５ａ、５ｂがそれぞれ互いに逆方向に回転している状態で、用紙２が前処理機１からナイフ折り機３に供給されると、搬送ベルト６ａ、６ｂにより用紙２が搬送される。そして、用紙２の中心線が一対の折りローラ５ａ、５ｂの中間位置に供給されるタイミングで、ナイフ４が用紙２の折り位置である中心線に下降する。これにより、ナイフ４が用紙２の中央部に突き出され、用紙２が一対のローラ５ａ、５ｂ間に押し込まれるので、回転している一対の折りローラ５ａ、５ｂが折り位置から用紙２を引き込んで折り重ね、形成された折丁９が下方向に搬出される。
【００１５】
次に、ナイフ折り機３を用いて用紙搬送方向に対して直角方向にナイフを構成して平行折りを行う場合について、図２により説明する。
図２において、１１は搬送ユニット、１２は用紙ストッパであり、この搬送ユニット１１と、用紙ストッパ１２により交換ユニットが構成されている。
搬送ユニット１１は搬送ユニット枠１３と、搬送ユニット枠１３に固定されたベルト支持軸１４と、ベルト支持軸１４に取り付けられたプーリ（図示せず）に掛け渡された搬送ベルト１５ａ、１５ｂ及びベルトの駆動機構（図示せず）よりなる。なお、上記と同様に、図示を省略しているが、搬送ベルト１５ａ、１５ｂの上部にも搬送ベルトがあり、用紙は上下の搬送ベルトに挟まれて搬送される。
【００１６】
用紙搬送方向に対して直角方向にナイフを構成して平行折りを行う場合、図１の搬送ベルト６ａ、６ｂを取り外し、搬送ユニット１１と用紙ストッパ１２を基台７にセットした後、前処理機１からの用紙２が搬送ベルト１５ａ、１５ｂの用紙搬送方向に供給される向きにナイフ折り機３を配置する。
【００１７】
平行折りの実行時、一対の折りローラ５ａ、５ｂがそれぞれ互いに逆方向に回転している状態で、用紙２が前処理機１からナイフ折り機３に供給されると、搬送ベルト１５ａ、１５ｂにより用紙２が搬送される。そして、用紙２が用紙ストッパ１２の位置まで来ると、用紙２が用紙ストッパ１２により止められ、用紙２の中央位置がナイフ４の先端位置に位置決めされる。
【００１８】
用紙２が位置決めされると、駆動機構によりナイフ４が下降して用紙２の中央部に突き出し、用紙２を一対の折りローラ５ａ、５ｂ間に押し込むので、一対のローラ５ａ、５ｂ間に押し込まれた用紙２が、回転しているローラ５ａ、５ｂにより折り重ねられて排出される。
【００１９】
以上のように、第１の用紙搬送機構を構成する搬送ベルト６を取り外し、搬送ユニット１１と用紙ストッパ１２をセットすることにより、第２の用紙搬送機構を構成する搬送ユニット１１によって搬送ベルト６による用紙の搬送方向と直角方向に用紙を搬送することができ、折りナイフ機構や折りローラ機構等はそのままで用紙の直角折りと平行折りとを切り替えられるので、用紙の直角折りと平行折りとを１つの装置内で用途に応じて簡単に切り替えて使用することができる。
【００２０】
また、交換ユニットとして用紙ストッパ１２を備えているので、交換ユニットが備えている搬送ユニット１１により搬送される用紙を所定の位置で停止させることができ、用紙の折り位置に確実にナイフ４を突き出すことができる。
【００２１】
なお、上記の実施例では、直角ナイフ折り機において、用紙搬送方向に対して直角方向にナイフを構成して平行折りを行う場合に交換ユニットを使用する場合を例として説明したが、平行ナイフ折り機において、用紙搬送方向に対して平行方向にナイフを構成して直角折りを行う場合に、交換ユニットを使用するようにすることも可能である。
また、上記の実施例では、前処理機としてバックル折り機を使用する例について説明したが、前処理機としては種々の前処理機を使用することができる。
【符号の説明】
【００２２】
１  前処理機
２  用紙
３  ナイフ折り機
４  ナイフ
５ａ、５ｂ  折りローラ
６ａ、６ｂ、１５ａ、１５ｂ  搬送ベルト
７  基台
８ａ、８ｂ、１４  ベルト支持軸
９  折丁
１１  搬送ユニット
１２  用紙ストッパ
１３  搬送ユニット枠
【図１】
0005465545.tif 000002
【図２】
0005465545.tif 000003
【図３】
0005465545.tif 000004